(57)【要約】【課題】顧客の来店に融通性を持たせたビンゴゲームを実施可能な来店促進用顧客カードを提供する。【解決手段】小売店で使用されて顧客による買い物の実績に応じてビンゴゲームを進行させていくための来店促進用顧客カード１Ａは、Ｎ行Ｎ列（Ｎは３以上の奇数）のマトリクス状に配置される複数のマス目を有するビンゴゲーム欄２と、Ｎ行（又は前記Ｎ列）に対応してそれぞれ異なる内容の条件を表示する条件表示部３と、を備える。そして、マス目には、当該マス目が属する行（又は列）に対応している条件表示部３に表示の条件を満たすときにマークが印される。よって、条件表示部３に表示の条件を満たせば、この条件表示部３に対応しているＮ通りのマス目の一つにマークが印されることになる。【選択図】図１
0003212122.tif 000002
【実用新案登録請求の範囲】
【請求項１】
小売店で使用されて顧客による買い物の実績に応じてビンゴゲームを進行させていくための来店促進用顧客カードであって、
Ｎ行Ｎ列（Ｎは３以上の奇数）のマトリクス状に配置される複数のマス目を有するビンゴゲーム欄と、
前記Ｎ行（又は前記Ｎ列）に対応してそれぞれ異なる内容の条件を表示する条件表示部と、
を備え、
前記マス目には、当該マス目が属する行（又は列）に対応している前記条件表示部に表示の前記条件を満たすときにマークが印されることでビンゴゲームの進行を可能にする来店促進用顧客カード。
【請求項２】
前記条件は期間であって、小売店でのビンゴゲームの実施期間を前記Ｎ行（又は前記Ｎ列）に合せて分割した小期間が前記行（又は前記列）に対応する前記条件表示部にそれぞれ表示されることを特徴とする請求項１に記載の来店促進用顧客カード。
【請求項３】
前記条件は曜日であって、異なる曜日が前記条件表示部にそれぞれ表示されることを特徴とする請求項１に記載の来店促進用顧客カード。
【請求項４】
前記条件は小売店が顧客に提供する商品又はサービスの種類であることを特徴とする請求項１に記載の来店促進用顧客カード。
【請求項５】
前記ビンゴゲーム欄の各行（又は各列）の一連の前記マス目のうちの少なくとも一つは前記マークを印す付加条件の買い物の時間帯が表示される時間帯表示部を備えることを特徴とする請求項１乃至４の何れかに記載の来店促進用顧客カード。
【請求項６】
前記ビンゴゲーム欄の各行（又は各列）の前記時間帯表示部を備える前記マス目の全てに前記マークが印されたときに獲得できる賞品の内容を表示する来店時間達成特典表示部を設けたことを特徴とする請求項５に記載の来店促進用顧客カード。
【請求項７】
複数の前記マス目のうちの少なくとも１つは、何れの前記条件表示部で表示の前記条件の制約を受けることなく前記マークが印されるマス目であることを特徴とする請求項１乃至４の何れかに記載の来店促進用顧客カード。
【考案の詳細な説明】
【技術分野】
【０００１】
本考案は、店舗の販売を促進するためビンゴゲームを通じて顧客の来店を促す来店促進用顧客カードに関する。
【背景技術】
【０００２】
近年、小売業においては、小売店舗等での商品やサービスの購入代金の額に応じて顧客にポイントを提供し、そのポイントの累計点数に応じて商品価格の割引や商品又は景品などの特典をすることにより顧客の囲い込みを図ることが広く行われている。
【０００３】
しかしながら、このような従来のポイントサービスは、多くの店舗において行われるようになってきているために、競業者との間で差別化が図れないという状況が生じている。しかし、特典を得られるポイントの累計点数を低くすれば、小売店の利益も低下する悪循環に陥る。
【０００４】
そこで、顧客の自店への積極的な来店意識を高めてもらうための有効な方法として、顧客による買い物の実績に応じてゲームを実施するサービスが知られている。このようなゲームとしては、１回でゲーム結果が出るのではなく、何回か続けることで確実に賞品を提供するビンゴゲームが有効で、顧客の継続した来店が期待できる。
【０００５】
このように、小売店が顧客の買い物の実績に応じてビンゴゲームを行う媒体としては、例えば、特許文献１や特許文献２で示される来店促進用顧客カードが知られている。この種の来店促進用顧客カードは、マトリクス状に配置される複数のマス目にそれぞれ異なる営業日の日付を表記しており、店舗は、任意の行又は列若しくは斜めの列で記入されている全ての日付に買い物で店舗を訪問してビンゴを成立させた顧客に特典を提供することで、顧客の来店への動機付けを高めようとするものである。
【先行技術文献】
【特許文献】
【０００６】
【特許文献１】実用新案登録第３１１０９１５号公報
【特許文献２】実用新案登録第３１１２６７３号公報
【考案の概要】
【考案が解決しようとする課題】
【０００７】
しかしながら、従来の来店促進用顧客カードによるビンゴゲームであると、ビンゴゲームの対象日、すなわちマス目に表示されている日に来店が集中するため、それ以外の日にちは来店が少なくなる嫌いがある。そして、顧客はゲームの対象日に店に出かけられないこともあり、対象日を逃すとその後はビンゴゲームへの興味を失せてしまい、積極的にこの店で買い物する意欲を失せてしまう。
【０００８】
上記点から、本考案は、顧客の来店に融通性を持たせたビンゴゲームを実施可能な来店促進用顧客カードの提供を目的とする。
【課題を解決するための手段】
【０００９】
上記課題を解決するために、本考案は、小売店で使用されて顧客による買い物の実績に応じてビンゴゲームを進行させていくための来店促進用顧客カードであって、Ｎ行Ｎ列（Ｎは３以上の奇数）のマトリクス状に配置される複数のマス目を有するビンゴゲーム欄と、前記Ｎ行（又は前記Ｎ列）に対応してそれぞれ異なる内容の前記条件を表示する条件表示部と、を備え、前記マス目には、当該マス目が属する行（又は列）に対応している前記条件表示部に表示の前記条件を満たすときにマークが印されることでビンゴゲームの進行を可能にしている。
【００１０】
前記条件を期間とすることができる。この場合、小売店でのビンゴゲームの実施期間を前記Ｎ行（又は前記Ｎ列）に合せて分割した小期間が前記行（又は前記列）に対応する前記条件表示部にそれぞれ表示するとよい。これにより、小売店でのビンゴゲームの実施期間中に顧客の万遍のない来店が期待できる。
【００１１】
また、前記条件を週の曜日とすることができる。この場合、異なる曜日を前記条件表示部に表示するとよい。これにより、顧客が曜日を違えて来店することが期待できる。
【００１２】
さらに、前記条件を小売店が顧客に提供する商品又はサービスの種類にすることができる。これにより、小売店にとって売上向上を図りたい商品又はサービスをアピールすることができる。
【００１３】
そして、前記ビンゴゲーム欄の各行（又は各列）の一連の前記マス目のうちの少なくとも一つは前記マークを印す付加条件の買い物の時間帯が表示される時間帯表示部を備えるとよい。これによって、小売店は顧客の来店時間帯を好ましい時間帯に誘導することができる。このとき、前記ビンゴゲーム欄の各行（又は各列）の前記時間帯表示部を備える前記マス目の全てに前記マークが印されたときに獲得できる賞品の内容を表示する来店時間達成特典表示部を設けることで、顧客の来店時間帯の好ましい時間帯への誘導が一層効果的となる。
【００１４】
加えて、複数の前記マス目のうちの少なくとも１つは、何れの前記条件表示部で表示の前記条件の制約を受けることなく前記マークが印されるマス目とすれば、ビンゴの達成が容易となり、顧客のビンゴ達成への意欲を高めることができる。好ましくは、中央のマス目を、制約を受けることなく前記マークが印されるマス目に設定すれば、より多くのビンゴ達成のチャンスを提供できる。
【考案の効果】
【００１５】
本考案の来店促進用顧客カードによれば、条件表示部に表示されている条件を満たせば、この条件表示部に対応している行（又は列）の何れかのマス目にマークが印されるため、マス目へのマークは当該マス目に予め定められた特定日に印される従来のものと比べて、顧客が買い物する日に融通性を持たせることができる。よって、継続性の高い買い物のビンゴゲームであるから、顧客の継続的な来店を期待できる。
【図面の簡単な説明】
【００１６】
【図１】本考案の第1の実施形態の来店促進用顧客カードの説明図を示す。
【図２】来店促進用顧客カードによるビンゴゲームでのビンゴの達成数に応じた賞品例の説明図を示す。
【図３】図１の来店促進用顧客カードの変形例の説明図を示す。
【図４】本考案の第２の実施形態の来店促進用顧客カードの説明図を示す。
【図５】本考案の第３の実施形態の来店促進用顧客カードの説明図を示す。
【図６】本考案の第４の実施形態の来店促進用顧客カードの説明図を示す。
【考案を実施するための形態】
【００１７】
以下、本考案の実施の形態について、図面を参照しながら詳細に説明する。図１は、本考案に係る来店促進用顧客カードの第１実施形態を示している。ビンゴゲームが実施可能な来店促進用顧客カード１Ａは、Ｎ行Ｎ列（Ｎは３以上の奇数）のマトリクス状に配置される複数のマス目を有するビンゴゲーム欄２を備える。
【００１８】
本例でのビンゴゲーム欄２は、３行３列のマトリクス状に配置された９個のマス目で構成される。そして、小売店でのビンゴゲームの実施期間を行列数に合せて３通りの小期間に分割して、各小期間を表示する条件表示部をビンゴゲーム欄２の行（横）又は列（縦）に対応させて設けている。具体的には、例えば５月の１カ月をビンゴゲームの実施期間とし、５月を上旬・中旬・下旬の３つの小期間に分割して、ビンゴゲーム欄２の各行の一連のマス目に連接して条件表示部３を配している。
【００１９】
来店促進用顧客カード１Ａには、先ず月の上旬のステージ期間内に顧客が所定金額の買い物を行う都度、条件表示部３に近い方のマス目から行（横）方向に沿ったマス目に順次、マークが印されていく。ここでの「マス目にマークを印す」の意味は、マス目の枠内への図示の例のようなスタンプの捺印やシールの貼付、又は文字や記号などの書き込みを行うことである。そして、第１ステージの上旬に所定金額の買い物が行なわれて、ビンゴゲーム欄２の第１ステージに対応する行の各マス目にマークが印されたとき、横一列のビンゴが完成する。同様にして、中旬や下旬においても、任意の３日のそれぞれで所定金額の買い物を行なえば、ビンゴゲーム欄２の中旬及び下旬の各ステージに対応する行の各マス目にマークが印されて、それぞれ横一列のビンゴが完成する。よって、条件表示部３に表示の買い物条件を満たせば、この条件表示部３に対応している３通りのマス目に一つずつマークが印されることになる。
【００２０】
このようにビンゴゲームのマークを獲得できる買い物日の指定がないため、顧客は３通りの各ステージでビンゴゲームを進めていくことができる。よって、顧客にとっては、上旬・中旬・下旬の各小期間内での買い物日を自己の都合で任意に定めることができるために、横一列のビンゴが達成しやすくなる。また、小売店にとっても、ひと月における上旬・中旬・下旬の各ステージで万遍なく来店して貰えることで売上向上につながる。
【００２１】
本例で示されている３行３列のビンゴゲームの場合、達成されるビンゴ数は縦列で３通り、横列で３通り、斜め列で２通りの８つがあるが、何れの列のビンゴの完成で何の賞品を顧客に提供するかは、この来店促進用顧客カード１Ａを利用してビンゴゲームを実施する小売店が決定する。例えば、貯めた累計点数に応じて商品価格の割引や景品等の特典を獲得できるサービスポイントを賞品にして、図２に示すように、１列達成する毎に３０ポイントが加算されて６列達成で１８０ポイントとなり、そして、マス目の全てにマークが印されるパーフェクトでは２５０ポイントを提供する。この場合は、縦・横・斜めの全ての列でのビンゴの達成に対して賞品を提供するが、横一列でのビンゴの達成のみ、すなわち小期間でのビンゴの達成したときのみ賞品を提供するものであってもよい。
【００２２】
本考案に係る来店促進用顧客カード１Ａによれば、通常のビンゴの成立数に応じた賞品に加えて更に別の賞品を設定することができる。すなわち、この来店促進用顧客カード１においては、小期間の各ステージで行（横）方向に向けてビンゴゲームが進行し、横一列のステージビンゴが達成されたときには、さらに特典を獲得できるようにするとよい。よって、本例の来店促進用顧客カード１Ａは、各条件表示部３に対応させてステージビンゴの特典表示部４を設けている。この場合の特典は、ビンゴゲームによる賞品とは別の賞品であり、例えば、行でのビンゴ達成により顧客が獲得できるサービスポイントに加えて更にボーナスポイントを提供する。よって、特典表示部４にはボーナスポイントとしての１０ポイント加算が表示されている。
【００２３】
これにより、上旬・中旬・下旬の各ステージにおいて、横一列のマス目の全てにマークが印されたとき、顧客は横一列の通常のビンゴ達成のサービスポイントに加えて、ボーナスポイントの１０ポイントのステージビンゴ達成の特典を獲得できる。このように期間による条件の達成による更なる特典を設定することで、各期間での顧客の店で買い物意欲が高まり、小売店としてはより多くの顧客の来店が期待できる。
【００２４】
以上は行（横）の一列をビンゴゲームの実施期間を３分割した各ステージに対応させているが、図３は列（縦）の一列を各ステージに対応させた来店促進用顧客カード１Ａの変形例を示している。この変形例では、ビンゴゲーム欄２の各列の一連のマス目に連接して条件表示部４を配している。
【００２５】
図４は、本考案に係る来店促進用顧客カードの第２実施形態を示している。同図におけるビンゴゲームが実施可能な来店促進用顧客カード１Ｂは、第１実施形態の来店促進用顧客カード１Ａと同様に、３行３列のマトリクス状に配置される複数のマス目を有するビンゴゲーム欄２と、ビンゴゲーム欄２の行（横）又は列（縦）に対応させた条件表示部３と、ステージ毎の特典表示部４とを備えている。したがって、来店促進用顧客カード１Ｂにおいても、上旬・中旬・下旬の各ステージで顧客が所定金額の買い物を行う都度、順次、条件表示部３に近い方のマス目からマークが印されていき、各ステージで横一列のマス目に全てマークが印されると、顧客がビンゴ達成のサービスポイントと共にボーナスポイントの１０ポイントのステージ特典を獲得できる。
【００２６】
しかし、来店促進用顧客カード１Ａと異なるのは、来店促進用顧客カード１Ｂのビンゴゲーム欄２は、各行の少なくとも１つのマス目に時間帯表示部６を備える点にある。時間帯表示部６を備えるマス目は、図で示されているように、特定の列（図の例は左から３列目）に縦に並べて配置しているが、特に並べる必要はなく任意に配置してよい。
【００２７】
そして、上旬・中旬・下旬の各ステージにおいて、顧客が所定金額の買い物を行う都度、順次、マス目にマークが印されるが、時間帯表示部６を備えるマス目のときには、そのときの時間帯表示部６に表示されている時間帯に所定金額の買い物を行うことを条件にしてマークが印される。
【００２８】
時間帯表示部６に表示される時間帯は小売店により決められるが、小売店にとって顧客を呼び込みたい時間帯、図示の例では４時以降の時間帯に設定されている。よって、時間帯表示部６を備えるマス目の全てにマークが印されると、さらに特典を獲得できるようにするとよい。そのため、来店促進用顧客カード１Ｂは、時間帯表示部６を備える全てのマス目にマークが印されると、顧客に提供する賞品を表示する来店時間達成特典表示部７を設けている。ここでの賞品は、図示の例では１００ポイントであり、顧客はビンゴゲームのビンゴ達成のサービスポイントと、期間での条件達成による特典表示部４に表示のボーナスポイントと、さらに各行の時間帯表示部６を備える全てのマス目にマークが印されたときの来店時間達成特典表示部７に表示のボーナスポイントとを同時に獲得することができる。
【００２９】
条件表示部３に表示される買い物条件の内容は期間に限らず曜日であってもよい。図５に示す第３実施形態の来店促進用顧客カード１Ｃは、条件表示部３に曜日が表示されている。図示の例は、各行の条件表示部３それぞれには、月曜・木曜，火曜・金曜，水曜・土曜が表示されている。このような来店促進用顧客カード１Ｃにおいては、顧客が所定金額の買い物を行った曜日に該当するマス目にマークが印される。そして、各行で指定の曜日での所定金額の買い物が３回行われたとき、行でのビンゴが達成されて、横一列のビンゴ達成のサービスポイントに加えてボーナスポイントの１０ポイントの条件達成による特典を獲得できる。よって、顧客が全ての行のビンゴを達成しようとすれば、曜日を違えて頻繁に来店することが期待できる。また、来店促進用顧客カード１Ｃでも、来店促進用顧客カード１Ｂと同様に各行に時間帯表示部６を備えるマス目が配列されていて、時間帯表示部６を備える全てのマス目にマークが印されたとき、顧客は来店時間達成特典表示部７に表示のボーナスポイントも獲得できる。
【００３０】
このような来店促進用顧客カード１Ｃは、図１の来店促進用顧客カード１Ａと異なり、マス目は期間でステージ分けされておらず、その曜日であれば実施間中の何れの日でもマークが印される。また、図示の例では、上記した時間帯表示部６や来店時間達成特典表示部７を備えているが、これら表示部を備えなくてもよい。この場合は、来店促進用顧客カード１Ａと同様に、マークを印す時間帯による制約がなく、よってこの制約を全てクリアした場合の特典もないビンゴゲームとなる。尚、図の例では、日曜日は条件に指定していないが、日曜日をワイルドカードの日として、日曜日に所定金額の買い物を行うと、顧客が指定する任意のマス目にマークを印すようにすることもできる。このようなワイルドカードの日を設定すれば、ビンゴゲームを継続する意欲の向上に繋がる。
【００３１】
図６に示す第４実施形態の来店促進用顧客カード１Ｄは、条件表示部３には買い物条件としての商品種類が表示されている。図示の例は、各行の条件表示部３それぞれには、精肉・鮮魚，乳製品・野菜，加工食品が表示されている。このような来店促進用顧客カード１Ｄにおいては、顧客が条件の商品の買い物を行うと該当するマス目にマークが印される。そして、各行で指定の曜日での所定金額の買い物が３回行われたとき、行でのビンゴが達成されて、横一列のビンゴ達成のサービスポイントに加えてボーナスポイントの１０ポイントの条件達成による特典を獲得できる。
【００３２】
したがって、小売店は売り上げを伸ばしたい分野の商品を条件表示部３に表示することで、その商品の購入をアピールすることができる。この来店促進用顧客カード１Ｄにおいても、時間帯表示部６や来店時間達成特典表示部７を備えずに、マークを印す時間帯の制限とこれをクリアした場合の特典がないビンゴゲームとしてもよい。
【００３３】
また、上記各実施形態の来店促進用顧客カード１Ａ乃至１Ｄにおいて、ビンゴゲーム欄２のマス目のうち少なくとも１つは、例えば上記特許文献１で示されているような、顧客の希望により制約を受けることなく自由にマークが印されるマス目としてもよい。すなわち、各条件表示部３で表示の何れの条件及び時間帯表示部６で示されるような時間帯の制約を受けることなく、マークが印されるマス目を設定するものである。これにより、顧客にはより多くのビンゴ達成のチャンスを提供できるため、ビンゴ達成への意欲を高めて顧客による来店意欲の向上に繋げることができる。好ましくは、中央のマス目このようなマス目に設定するとよい。
【００３４】
以上、本考案の実施形態について説明したが、本考案は上記実施形態に限定されるものではなく、本考案の趣旨に基づき種々の変形が可能であり、これらを本考案の範囲から排除するものではない。
【符号の説明】
【００３５】
１Ａ，１Ｂ，１Ｃ，１Ｄ    来店促進用顧客カード
２    ビンゴゲーム欄
３    条件表示部
４    特典表示部
６    時間帯表示部
７    来店時間達成特典表示部
【図１】
0003212122.tif 000003
【図２】
0003212122.tif 000004
【図３】
0003212122.tif 000005
【図４】
0003212122.tif 000006
【図５】
0003212122.tif 000007
【図６】
0003212122.tif 000008